(57)【要約】【課題】  携帯性を向上させた撮像装置、及びこれに用いられるレンズ鏡筒及び回路基板を提供する。【解決手段】  ＦＰＣ２２には、ＣＣＤ６１及びＩＣ部品６５が実装されている。このＦＰＣ２２は、ＣＣＤ６１が実装された実装面２２ａを内側にして、ＣＣＤ６１とＩＣ部品６５との間で略直角に折り曲げられている。また、下部鏡筒３２の光軸方向後端には、ＣＣＤ６１が収納される収納部６０が形成されている。さらに、下部鏡筒３２の前面には、ＩＣ部品６５が収納される収納部３２ａが形成されている。ＦＰＣ２２を下部鏡筒３２に取り付けた時に、ＣＣＤ６１が収納部６０に収納され、ＩＣ部品６５は収納部３２ａに収納される。また、ＦＰＣ２２の裏面には、ＣＣＤ６１に対応する位置に補強板６８が取り付けられている。【選択図】        図７
2006194957.tif 000002
【特許請求の範囲】
【請求項１】
レンズを保持するレンズ鏡筒と、このレンズ鏡筒に保持され、前記レンズによって結像された被写像を撮像する撮像素子とを備えた撮像装置において、
前記レンズ鏡筒の光軸方向後端部に形成され、前記撮像素子が収納される第１収納部と  、
前記撮像素子及び所定部品が実装され、前記撮像素子が実装された実装面を内側にして、前記撮像素子と前記所定部品との間で折り曲げられた屈曲性を有する回路基板とを備え、
前記回路基板を前記レンズ鏡筒に取り付けた時に、前記撮像素子が前記第１収納部内に収納され、前記所定部品は前記レンズ鏡筒の側面に配置されることを特徴とする撮像装置。
【請求項２】
前記レンズ鏡筒の側面に形成され、前記所定部品が収納される第２収納部を備え、前記回路基板を前記レンズ鏡筒に取り付けた時に、前記所定部品が前記第２収納部に収納されることを特徴とする請求項１記載の撮像装置。
【請求項３】
前記実装面の裏面には、前記撮像素子に対応する位置に補強板が設けられていることを特徴とする請求項１または２記載の撮像装置。
【請求項４】
前記補強板は、ガラスエポキシ樹脂で形成されていることを特徴とする請求項３記載の撮像装置。
【請求項５】
前記補強板は、金属で形成されていることを特徴とする請求項３記載の撮像装置。
【請求項６】
前記回路基板には、前記所定部品が複数実装されており、前記第２収納部は、前記レンズ鏡筒の側面の各所定部品に対応する位置に複数形成されていることを特徴とする請求項１ないし請求項５のいずれか記載の撮像装置。
【請求項７】
前記所定部品は、前記撮像素子によって取得された画像データのノイズ成分を除去する回路部品であることを特徴とする請求項１ないし請求項６のいずれか記載の撮像装置。
【請求項８】
前記レンズ鏡筒の光軸方向後端部を覆うように取り付けられる板バネを備え、この板バネによって、前記回路基板及び前記撮像素子が前記第１収納部に向けて付勢されて、前記レンズ鏡筒に固定されることを特徴とする請求項１ないし請求項７のいずれか記載の撮像装置。
【請求項９】
前記回路基板は、前記レンズ鏡筒の側面にネジ止めされることを特徴とする請求項１ないし請求項８のいずれか記載の撮像装置。
【請求項１０】
請求項２ないし請求項９いずれか１つ記載の撮像装置に用いられ、前記第１及び第２収納部を備えていることを特徴とするレンズ鏡筒。
【請求項１１】
請求項１ないし請求項９いずれか１つ記載の撮像装置に用いられ、前記撮像素子及び所定部品が実装され、前記撮像素子が実装された実装面を内側にして前記撮像素子と前記所定部品との間で折り曲げられていることを特徴とする回路基板。
【発明の詳細な説明】
【技術分野】
【０００１】
本発明は、レンズ鏡筒の光軸方向後端部に撮像素子を備えた撮像装置と、この撮像装置に用いられるレンズ鏡筒及び回路基板に関する。
【背景技術】
【０００２】
近年、撮影レンズによって結像された被写体像を撮像する撮像素子を備え、この撮像素子によって得られた画像データをメモリカード等の記憶媒体に記憶させる撮像装置であるデジタルカメラが一般に普及している。このようなデジタルカメラは、ユーザによって屋外に持ち出されて使用されることが多いため、カメラ本体の薄型化及び小型化して携帯性を向上させることが望まれている。
【０００３】
このような課題を解決するために、被写体光束が透過する撮影光学系の光路中に被写体光束の光軸を略直角方向に折り曲げる反射光学部材を配置し、被写体光束を結像させるのに必要な光路長を確保して、カメラ本体の小型化を実現したものが知られている（例えば、特許文献１参照）。
【特許文献１】特開２００３−６６３０９号公報
【発明の開示】
【発明が解決しようとする課題】
【０００４】
しかしながら、上記特許文献１に記載のデジタルカメラでは、撮影レンズの背後に配置される撮像素子が実装される撮像基板と、画像信号処理回路等の回路部品が実装されている回路基板とを屈曲性を有する回路基板であるＦＰＣ（Flexible Printed Circuit）を用いて電気的に接続している。このため、デジタルカメラの本体内に、撮像基板及び回路基板の２つの基板を配置するスペースを設ける必要があり、デジタルカメラ本体を小型化して、携帯性を向上させることが難しいという問題があった。
【０００５】
本発明は上記事情に鑑みてなされたものであり、携帯性を向上させた撮像装置、及びこの撮像装置に用いられるレンズ鏡筒並びに回路基板を提供することを目的とする。
【課題を解決するための手段】
【０００６】
上記課題を解決するために、本発明の撮像装置は、レンズを保持するレンズ鏡筒と、このレンズ鏡筒に保持され、前記レンズによって結像された被写像を撮像する撮像素子とを備えた撮像装置であり、前記レンズ鏡筒の光軸方向後端部に形成され、前記撮像素子が収納される第１収納部と、前記撮像素子及び所定部品が実装され、前記撮像素子が実装された実装面を内側にして、前記撮像素子と前記所定部品との間で折り曲げられた屈曲性を有する回路基板とを備え、前記回路基板を前記レンズ鏡筒に取り付けた時に、前記撮像素子が前記第１収納部内に収納され、前記所定部品は前記レンズ鏡筒の側面に配置されることを特徴とするものである。
【０００７】
また、前記レンズ鏡筒の側面に形成され、前記所定部品が収納される第２収納部を備え、前記回路基板を前記レンズ鏡筒に取り付けた時に、前記所定部品が前記第２収納部に収納されることが好ましい。
【０００８】
さらに、前記実装面の裏面には、前記撮像素子に対応する位置に補強板が設けられていることが好ましい。また、前記補強板をガラスエポキシ樹脂で形成しても良いし、金属で形成しても良い。
【０００９】
さらに、前記回路基板には、前記所定部品が複数実装されており、前記第２収納部は、前記レンズ鏡筒の側面の各所定部品に対応する位置に複数形成されていることが好ましい。また、前記所定部品は、前記撮像素子によって取得された画像データのノイズ成分を除去する回路部品であることが好ましい。
【００１０】
さらに、前記レンズ鏡筒の光軸方向後端部を覆うように取り付けられる板バネを備え、この板バネによって、前記回路基板及び前記撮像素子が前記第１収納部に向けて付勢されて、前記レンズ鏡筒に固定されることが好ましい。また、前記回路基板は、前記レンズ鏡筒の側面にネジ止めされることが好ましい。
【００１１】
また、本発明のレンズ鏡筒は、上記記載の撮像装置に用いられ、前記第１及び第２収納部を備えていることを特徴とするものである。さらに、本発明の回路基板は、上記記載の撮像装置に用いられ、前記撮像素子及び所定部品が実装され、前記撮像素子が実装された実装面を内側にして前記撮像素子と前記所定部品との間で折り曲げられていることを特徴とするものである。
【発明の効果】
【００１２】
本発明の撮像装置によれば、撮像素子と所定部品とが屈曲性を有する回路基板に実装されており、この回路基板は、撮像素子が実装された実装面を内側にして撮像素子と所定部品との間で折り曲げられているので、回路基板をレンズ鏡筒に取り付けた時に、撮像素子がレンズ鏡筒の光軸方向後端部に形成された第１収納部に収納され、所定部品がレンズ鏡筒の側面に配置される。このため、所定部品を実装する基板を別個に配置する必要がないため、撮像装置本体内のスペースを有効利用して撮像装置の小型化及び携帯性の向上を実現できる。
【００１３】
また、所定部品がレンズ鏡筒の側面に形成された第２収納部に収納されるので、所定部品がレンズ鏡筒の側面から突出しない。このため、撮像装置本体内でのスペースを有効利用して、撮像装置本体をさらに小型化することができる。
【００１４】
さらに、撮像素子が実装された実装面の裏側には、撮像素子に対応する位置に補強板が設けられているので、撮像素子が実装された部分の回路基板の平面性が維持され、半田浮きを防止することができる。
【００１５】
また、所定部品は、撮像素子によって取得された画像データのノイズ成分を除去する回路部品であり、この回路部品を撮像素子と同じ回路基板上に配置することにより、撮像素子との距離が短くなり、ノイズの発生を少なくすることができる。
【発明を実施するための最良の形態】
【００１６】
図１及び図２に示すデジタルカメラ１０は、カメラ本体１１の前面に、前レンズ１２及びストロボ発光部１３が設けられており、上面には、電源ボタン１４及びシャッタボタン１５が設けられている。
【００１７】
カメラ本体１１の背面には、ＬＣＤ（Liquid Crystal Display）１６、ズーム操作ボタン１７、カーソルボタン１８、及びモード切替ボタン１９が設けられている。モード切替ボタン１９は、撮影画像をメモリカードに記録する撮影モードと、メモリカードに記録された画像を再生する再生モードと、各種設定を行うセットアップモードとを切り替える際にユーザによって操作される。
【００１８】
ＬＣＤパネル１６は、画像再生に使用される他、撮影モード時には、フレーミング用のスルー画を表示する電子ビューファインダとしても機能する。また、ＬＣＤパネル１６は、セットアップモードに設定された時にメニュー画面を表示する。カーソルボタン１８は、このメニュー画面上でのカーソルの移動や、メニュー画面に表示された項目を選択する際に操作される。ズーム操作ボタン１７は、ズーム倍率を変更する際に操作される。
【００１９】
また、カメラ本体１１には、前述の前レンズ１２を備えた撮像ユニット２０が組み込まれている。以下に、この撮像ユニット２０の構成を説明する。図３に示す撮像ユニット２０は、レンズ鏡筒２１と、このレンズ鏡筒２１の下面を覆うように設けられ、屈曲性を有する回路基板であるＦＰＣ（Flexible Printed Circuit）２２と、このＦＰＣ２２を覆うように設けられ、ＦＰＣ２２をレンズ鏡筒２１に向けて付勢して固定する板バネ２３とを備えている。
【００２０】
レンズ鏡筒２１は、上部鏡筒３１と、下部鏡筒３２と、これらの間に配置されたシャッタユニット３３とを備えており、これらがネジによって連結されている。
【００２１】
図４に示すように、上部鏡筒３１は、前レンズ１２と、プリズム４１と、後レンズ群４２とからなる第１レンズ群４３と、第２レンズ群４４とを保持している。上部鏡筒３１は、上部に形成され断面形状が略三角形のフレームからなるプリズム収納部４５と、プリズム収納部４５の下方に形成され略直方体形状のフレームからなるレンズ収納部４６とを備えている。
【００２２】
プリズム収納部４５の前面には、前レンズ１２を保持するレンズ枠４７が取り付けられており、前レンズ１２の背後には、横長な矩形の開口４５ａが形成されている。また、前レンズ１２と開口４５ａとの間には、遮光マスク４８が設けられている。この遮光マスク４８は、撮影画像に悪影響を及ぼす光、つまり開口４５ａの上方から入射する太陽光などの有害光を遮光する。
【００２３】
プリズム収納部４５内には、三角柱形状の直角プリズム４１が収納され、前レンズ１２の背後に配置されている。この直角プリズム４１は、前レンズ１２と対面し、前レンズ１２を透過した被写体光束が入射する入射面４１ａと、入射面４１ａと鋭角をなして連なるとともに入射面４１ａから入射した被写体光束を略直角に反射する反射面４１ｂと、入射面４１ａと直角をなして連なるとともに反射面４１ｂで反射された被写体光束をプリズム外に出射させる出射面４１ｃとを有する。
【００２４】
前レンズ１２を透過した被写体光束は、入射面４１ａと略直交するように直角プリズム４１内に入射して、反射面４１ｂによって略直角に反射され、出射面４１ｃと略直交するように出射する。このため、前レンズ１２の光軸Ｌ１は、直角プリズム４２によって光軸Ｌ１と略直角な光軸Ｌ２に屈曲される。
【００２５】
また、レンズ収納部４６には、後レンズ群４２及び第２群レンズ４４が収納され、屈曲された光軸Ｌ２上に配置されている。後レンズ群４２は、レンズ４２ａとレンズ４２ｂとで構成されており、レンズ枠４９によって保持されている。このレンズ枠４９は、直角プリズム４１の出射面４１ｃの下方に配置されており、レンズ収納部４６に固定されている。また、第２レンズ群４４は、レンズ４４ａ〜４４ｃの３枚のレンズで構成されており、レンズ枠５０によって保持されている。
【００２６】
また、この第２レンズ群４４はズームレンズ群であり、レンズ収納部４６には光軸Ｌ２と平行に配置された２本のガイド軸（図示せず）が設けられている。レンズ枠５０は、これらのガイド軸によって進退自在に保持されており、第２レンズ群４４が光軸Ｌ２に沿って進退移動する。これらのガイド軸は、一端がレンズ収納部４６によって保持され、他端がレンズ枠５５によって保持されている。レンズ枠５０は、モータ５１の駆動によって、これらのガイド軸に沿って移動される。
【００２７】
また、モータ５１はステッピングモータであり、レンズ枠５０の原点位置は、光学的位置検出手段であるフォトインタラプタ（図示せず）によって検出され、この検出信号に基づいて第２レンズ群４４の位置が制御される。これにより、第２光軸Ｌ２上において、第２レンズ群４４と、後述する第４レンズ群５８との相対的な距離が変化して被写体画像のズーミングが行われる。
【００２８】
シャッタユニット３３は上部鏡筒３１の下部に取り付けられており、箱形に形成されたユニット本体５２と、ユニット本体５２に取り付けられたモータ５３とから構成されている。また、このユニット本体５２の上面には、第３レンズ群５４が設けられている。この第３レンズ群５４は、レンズ５４ａを備えており、このレンズ５４ａがレンズ枠５５によって保持されている。このレンズ枠５５は、上部鏡筒３１の下端に固定されている。
【００２９】
また、ユニット本体５２の内部には、絞り機能を有するシャッタ装置５６が設けられており、互いに対向する一対のシャッタ羽根等によって構成されている。ユニット本体５２の上下の両面には開口が形成されており、シャッタ羽根はモータ５３によって駆動され、開口に入射する被写体光の光量、すなわち、後述する第４レンズ群５８に入射する被写体光の光量を調節する。
【００３０】
下部鏡筒３２には、第４レンズ群５８が収納されている。この第４群レンズ５８は、レンズ５８ａ，５８ｂ，５８ｃの３枚のレンズで構成され、レンズ枠５９によって保持されている。この第４レンズ群５９はフォーカスレンズ群であり、下部鏡筒３２内には、光軸Ｌ２と平行に配置された２本のガイド軸（図示せず）が設けられている。レンズ枠５９は、これらのガイド軸によって光軸Ｌ２に沿って進退自在に保持されている。
【００３１】
このレンズ枠５９は、下部鏡筒３２の外壁に配置されたモータ（図示せず）の駆動によって光軸Ｌ２上で進退移動する。このモータは、モータ５１と同様にステッピングモータであり、レンズ枠の原点位置は、光学的位置検出手段であるフォトインタラプタによって検出され、この検出信号に基づいて第４レンズ群５８の位置が制御される。ズーミングが行われた後、第４レンズ群５８が第２光軸Ｌ２上で移動し、被写体像のピントが調節される。
【００３２】
第４レンズ群５８の下方、すなわち下部鏡筒３２の光軸方向後端には、凹部である収納部（第１収納部）６０が形成されている。この収納部６０には、前述の第１〜４レンズ群によって結像された被写体像を撮像する撮像素子であるＣＣＤイメージセンサ（以下、単にＣＣＤと称する）６１が収納される。また、この収納部６０の上方、すなわちＣＣＤ６１の前方には、光学的ローパスフィルタ６２が設けられている。この光学的ローパスフィルタ６２は、水晶の複屈折を利用して画像を劣化させる高周波成分を光学的に抑制するフィルタである。
【００３３】
図５及び図６に示すように、下部鏡筒３２には、下面を覆うようにＦＰＣ２２が設けられている。このＦＰＣ２２には、ＣＣＤ６１及びＩＣ（Integrated Circuit）部品（所定部品）６５，６６が実装されている。ＣＣＤ６１は、ＦＰＣ２２の一方の面に実装されており、この実装面２２ａを内側にして、ＣＣＤ６１とＩＣ部品６５との間、及びＣＣＤ６１とＩＣ部品６６との間で略直角に折り曲げられており、下部鏡筒３２の側面に沿う形状にされている。また、ＦＰＣ２２は、ＩＣ部品６６の側部でも略直角に折り曲げられており、下部鏡筒３２の背面に沿う形状にされている。なお、これらの折り曲げ角度は、ＦＰＣ２２が取り付けられる下部鏡筒３２の壁面形状に合わせて決められるものであり、適宜決められる。
【００３４】
さらに、実装面２２ａの裏面２２ｂには、ＣＣＤ６１に対応する位置に略正方形状の補強板６８が取り付けられている。この補強板６８は、ガラスエポキシ樹脂や金属等の材質で形成されており、接着剤によって取り付けられている。この補強板６８によって、ＣＣＤ６１が実装された部分のＦＰＣ２２の平面性が維持されて、半田浮きを防止することができる。
【００３５】
また、このＦＰＣ２２は、ＩＣ部品６５の上方の端部にネジが挿通される穴６９が形成されている。この穴６９にネジ７０が挿通され、下部鏡筒３２の前面に形成されたネジ穴８０に螺合させることによって、ＦＰＣ２２の一端が取り付けられる。また、下部鏡筒３２の背面側に配置されたＦＰＣ２２の他端は、デジタルカメラ１０内に設けられた基板（図示せず）と接続される。
【００３６】
上記構成のＦＰＣ２２は、金属製の板バネ２３によって固定される。この板バネ２３は、板状部材である本体９０と、この本体９０の一端を略直角に折り曲げて形成され、下部鏡筒３２の側面に配置されたＦＰＣ２２と当接する当接片９１と、この当接片９１を挟んで左右の端部を折り曲げて形成され、下部鏡筒３２の壁面に形成された２つの係止爪８１によって係止される２つの被係止片９２とを備えている。被係止片９２には、係止爪８１によって係止される被係止穴９２ａが形成されている。
【００３７】
また、本体９０の上面には、ＦＰＣ２２の裏面２２ｂと当接して押圧する突起９３が３個形成されている。さらに、本体９０には、ネジ９４が挿通される穴９５が２個形成されている。板バネ２３を下部鏡筒３２に取り付ける際、当接片９１を下部鏡筒３２の側面に位置するＦＰＣ２２に当接させ、係止爪８１によって被係止穴９２ａを係止させる。その後、２つの穴９５の各々にネジ９４を挿通させて、下部鏡筒３２の下面に形成されたネジ穴８２に螺合させることにより、板バネ２３が下部鏡筒３２に取り付けられる。
【００３８】
この時、図７に示すように、突起９３がＦＰＣ２２の裏面２２ｂと当接するが、この突起９３は周辺部分よりも高いので、本体９０が下方に向かって僅かに湾曲する。本体９０は、元の形状に復帰する方向に力が作用するため、突起９３がＦＰＣ２２の裏面２２ｂ側からＣＣＤ６１を上方に押し上げる方向に付勢する。これにより、ＣＣＤ６１は収納部６０の所定位置に固定され、ＦＰＣ２２も下部鏡筒３２に固定される。また、ＩＣ部品６５は、下部鏡筒３２の前面に形成された凹部である収納部３２ａ（第２収納部）に収納され、ＩＣ部品６６は、下部鏡筒３２の側面に形成された凹部である収納部３１ｂ（第２収納部）に収納される。これらの収納部３１ａ，３１ｂを形成せずに、ＩＣ部品６５，６６を下部鏡筒３２の側面に当接させても良いが、収納部３１ａ，３１ｂを形成することにより、ＩＣ部品６５，６６をレンズ鏡筒２１の外形からはみ出さずに配置することができる。
【００３９】
次に、デジタルカメラ１０の電気的構成について説明する。図８に示すように、デジタルカメラ１０には、カメラ全体を制御するシステムコントローラ１００が設けられている。システムコントローラ１００は、各部を制御する制御プログラムが記憶されたＲＯＭ１００ａと、作業用データを一時的に記憶するＲＡＭ１００ｂとを備えている。システムコントローラ１００は、この制御プログラムに基づいて各部を制御する。
【００４０】
システムコントローラ１００は、モータドライバ１０１を介してモータ５１，５３，１０２に接続されており、システムコントローラ１００がモータドライバ１０１を制御して、モータ５１，５３，１０２を駆動する。モータ５１は、前述の第２レンズ群４４を光軸Ｌ２に沿って進退移動させ、モータ５３はシャッタ装置５６を駆動する。また、モータ１０２は、第４レンズ群５８を光軸Ｌ２に沿って進退移動させる。
【００４１】
また、システムコントローラ１００には、ＣＣＤドライバ１０３を介してＣＣＤ６１が接続されている。システムコントローラ１００は、ＣＣＤドライバ１０３を制御することによりＣＣＤ６１を駆動する。ＣＣＤ６１は、光電変換により被写体像を電気信号に変換して、アナログ信号である画像データを取得する。さらに、このＣＣＤ６１は、画像信号処理部１０４と接続されており、ＣＣＤ６１によって撮像された画像データが画像信号処理部１０４に出力される。この画像信号処理部１０４は、データバス１０５を介してシステムコントローラ１００に接続されており、システムコントローラ１００によって制御される。
【００４２】
画像信号処理部１０４は、相関二重サンプリング回路（ＣＤＳ）、増幅器（ＡＭＰ）、Ａ／Ｄ変換器、信号処理回路、メモリ、圧縮伸張処理回路等を備えて構成されている。ＣＤＳは、ＣＣＤ６１によって取得された画像データのノイズを除去する。ＡＭＰは、ノイズが除去された画像データを増幅してＡ／Ｄ変換器に出力する。Ａ／Ｄ変換器は、増幅された画像データをアナログ信号からデジタル信号の画像データに変換して信号処理回路に出力する。
【００４３】
信号処理回路は、デジタル信号の画像データに対して、階調変換、ホワイトバランス補正、γ補正等の各種画像処理と、ＹＣ変換処理とを施す。前述のＩＣ部品６５，６６は、この画像信号処理部を構成するものであり、ＩＣ部品６５は、画像データのノイズを除去するＣＤＳである。
【００４４】
撮影モード時において、撮影処理が実行される前に画像信号処理部１０４に入力された画像データは、簡易な画像処理と簡易なＹＣ処理とが施されてＬＣＤドライバ１０６に出力される。システムコントローラ１００は、ＬＣＤドライバ１０６を制御して画像データをＬＣＤ１６にスルー画として表示させる。
【００４５】
また、撮影処理が実行された時に、画像信号処理部１０４に入力された画像データは、画像処理、ＹＣ変換処理、及び圧縮処理（例えばＪＰＥＧ方式）等が施される。システムコントローラ１００は、メディアコントローラ１０７を制御して圧縮された画像データをメモリカード１０８に記憶させる。また、再生モードでは、メモリカード１０８に記憶された画像データに対して伸張処理が施されて、ＬＣＤ１６に再生画像として表示させる。
【００４６】
また、システムコントローラ１００には、電源ボタン１４、シャッタボタン１５、ズーム操作ボタン１７、カーソルボタン１８、モード切替ボタン１９が接続されている。システムコントローラ１００は、各ボタンから操作信号を取得して、各操作信号に対応する処理を実行する。
【００４７】
前述したように、ＦＰＣ２２は、ＣＣＤ６１及びＩＣ部品６５，６６が実装されており、ＣＣＤ６１の実装面２２ａを内側にして、ＣＣＤ６１とＩＣ部品６５，６６との間で折り曲げられている。このＦＰＣ２２をレンズ鏡筒に取り付けた時に、ＣＣＤ６１が収納部６０に収納され、ＩＣ部品６５，６６が収納部３２ａ，３２ｂにそれぞれ収納される。このため、ＩＣ部品６５，６６をＣＣＤ６１とは別の回路基板に設けた場合と比べて、カメラ本体１１内で占めるスペースが小さくなり、カメラ本体１１を小型化することができる。
【００４８】
また、ＩＣ部品６５は、画像データのノイズを除去するＣＤＳであり、ＣＣＤ６１と共にＦＰＣ２２に実装されている。このため、ＣＣＤ６１とＩＣ部品６５との距離が短くなり、ＩＣ部品６５がＣＣＤ６１から画像データを取得する時に、画像データのノイズ成分が少なくなる。
【００４９】
なお、上記実施形態において、撮像素子としてＣＣＤイメージセンサを用いる場合を例に説明したが、これに限るものではなく、例えばＣＭＯＳイメージセンサを用いても良い。
【００５０】
また、上記実施形態において、屈曲性を有する回路基板に２個の所定部品を実装させた場合を例に説明したが、これに限るものではなく、回路基板に１個の所定部品を実装させても良いし、３個以上の所定部品を実装させても良い。
【００５１】
さらに、上記実施形態では、屈曲光学系のレンズ鏡筒を備えた撮像装置を例に説明したが、これに限るものではなく、被写体光束を屈曲させずに結像させる通常のレンズ鏡筒にも本発明を適用できる。また、レンズ鏡筒の形状も本実施形態に限定されるものではなく、本発明を円筒状のレンズ鏡筒に適用しても良い。
【００５２】
さらに、上記実施形態において、本発明の撮像装置をデジタルカメラに適用した場合を例に説明したが、これに限るものではなく、例えばデジタルビデオカメラに適用しても良い。
【図面の簡単な説明】
【００５３】
【図１】デジタルカメラの前面側の構成を示す斜視図である。
【図２】デジタルカメラの背面側の構成を示す斜視図である。
【図３】撮像ユニットの構成を示す斜視図である。
【図４】レンズ鏡筒の構成を示す断面図である。
【図５】撮像ユニットの構成を示す分解斜視図である。
【図６】ＦＰＣの構成を示す斜視図である。
【図７】ＦＰＣ及び板バネの取り付け状態を示す断面図である。
【図８】デジタルカメラの電気的構成を示すブロック図である。
【符号の説明】
【００５４】
１０  デジタルカメラ
２１  レンズ鏡筒
２２  ＦＰＣ
２２ａ  実装面
２３  板バネ
６０  収納部
３２ａ，３２ｂ  収納部
６１  ＣＣＤ
６５，６６  ＩＣ部品
６８  補強板
【図１】
2006194957.tif 000003
【図２】
2006194957.tif 000004
【図３】
2006194957.tif 000005
【図４】
2006194957.tif 000006
【図５】
2006194957.tif 000007
【図６】
2006194957.tif 000008
【図７】
2006194957.tif 000009
【図８】
2006194957.tif 000010